(57)【特許請求の範囲】
【請求項１】
複数のセクタ間で設定されるチャネルを用いて通信を行うように構成されている通信端末であって、
各チャネルについて、パイロット信号の受信品質に基づいてハンドオフ候補とすべきであるか否かについて判定するように構成されている判定部と、
特定のチャネルをハンドオフ候補とすることによって同一セクタ内でハンドオフ候補として設定されるチャネル数が所定数以上になる場合に、該特定チャネルをハンドオフ候補とするチャネル情報報告を送信するように構成されているチャネル情報報告送信部とを具備することを特徴とする通信端末。
【請求項２】
前記チャネル情報報告送信部は、前記特定チャネルについてハンドオフ候補とすべきであると判定された場合であっても、同一セクタ内でハンドオフ候補として設定されるチャネル数が所定数以上にならない場合には、該特定チャネルをハンドオフ候補とするチャネル情報報告を送信しないように構成されていることを特徴とする請求項１に記載の通信端末。
【請求項３】
複数のセクタ間で設定されるチャネルを用いて通信を行うように構成されている通信端末であって、
各チャネルについて、パイロット信号の受信品質に基づいてハンドオフ候補とすべきであるか否かについて判定するように構成されている判定部と、
特定のチャネルをハンドオフ候補としないことによって同一セクタ内でハンドオフ候補として設定されるチャネル数が所定数未満になる場合に、該セクタ内でハンドオフ候補として設定されている全てのチャネルをハンドオフ候補としないようにするチャネル情報報告を送信するように構成されているチャネル情報報告送信部とを具備することを特徴とする通信端末。
【請求項４】
前記チャネル情報報告送信部は、前記特定チャネルについてハンドオフ候補としないと判定された場合で、かつ、該特定チャネルをハンドオフ候補としないことによって前記セクタ内でハンドオフ候補として設定されるチャネル数が所定数未満にならない場合には、該特定チャネルだけをハンドオフ候補としないようにするチャネル情報報告を送信するように構成されていることを特徴とする請求項３に記載の通信端末。
【請求項５】
通信端末と複数のセクタとの間で設定されているチャネルを用いて行われる通信を制御するように構成されている基地局制御装置であって、
特定チャネルをハンドオフ候補とするチャネル情報報報告を受信するように構成されているチャネル情報報告受信部と、
前記特定チャネルをハンドオフ候補とするチャネル情報報報告を受信した場合で、かつ、該特定チャネルをハンドオフ候補とすることによって同一セクタ内でハンドオフ候補として設定されるチャネル数が所定数以上になる場合に、該セクタにおいて、該特定チャネルに対してリソースを割り当てるように構成されているチャネル割り当て制御部とを具備することを特徴とする基地局制御装置。
【請求項６】
前記チャネル割り当て制御部は、前記特定チャネルをハンドオフ候補とするチャネル情報報報告を受信した場合であっても、該特定チャネルをハンドオフ候補とすることによって前記セクタ内でハンドオフ候補として設定されるチャネル数が所定数以上にならない場合には、該セクタにおいて、該特定チャネルに対してリソースを割り当てないように構成されていることを特徴とする請求項５に記載の基地局制御装置。
【請求項７】
通信端末と複数のセクタとの間で設定されているチャネルを用いて行われる通信を制御するように構成されている基地局制御装置であって、
特定チャネルをハンドオフ候補としないようにするチャネル情報報報告を受信するように構成されているチャネル情報報告受信部と、
前記特定チャネルをハンドオフ候補としないようにするチャネル情報報報告を受信した場合で、かつ、該特定チャネルをハンドオフ候補としないことよって同一セクタ内でハンドオフ候補として設定されるチャネル数が所定数未満になる場合に、該セクタ内でハンドオフ候補として設定されている全てのチャネルに対するリソースの割り当てを開放するように構成されているチャネル割り当て制御部とを具備することを特徴とする基地局制御装置。
【請求項８】
前記チャネル割り当て制御部は、特定チャネルをハンドオフ候補としないようにするチャネル情報報報告を受信した場合で、かつ、該特定のチャネルをハンドオフ候補としないことによって該セクタ内でハンドオフ候補として設定されるチャネル数が所定数未満にならない場合には、該セクタ内で該特定チャネルに対するリソースの割り当てのみを開放するように構成されていることを特徴とする請求項７に記載の基地局制御装置。
【請求項９】
通信端末と複数のセクタとの間で設定されるチャネルを用いて通信を行う移動通信方法であって、
前記通信端末において、各チャネルについて、パイロット信号の受信品質に基づいてハンドオフ候補とすべきであるか否かについて判定する工程と、
前記通信端末において、特定のチャネルをハンドオフ候補とすることによって同一セクタ内でハンドオフ候補として設定されるチャネル数が所定数以上になる場合に、該特定チャネルをハンドオフ候補とするチャネル情報報告を送信する工程と、
前記通信を制御する基地局制御装置において、前記チャネル情報報報告に応じて、該特定チャネルに対してリソースを割り当てる工程とを有することを特徴とする移動通信方法。
【請求項１０】
通信端末と複数のセクタとの間で設定されるチャネルを用いて通信を行う移動通信方法であって、
前記通信端末において、各チャネルについて、パイロット信号の受信品質に基づいてハンドオフ候補とすべきであるか否かについて判定する工程と、
前記通信端末において、特定のチャネルをハンドオフ候補とすることによって同一セクタ内でハンドオフ候補として設定されるチャネル数が所定数未満になる場合に、該セクタ内で設定されている全てのチャネルをハンドオフ候補としないようにするチャネル情報報告を送信する工程と、
前記通信を制御する基地局制御装置において、前記チャネル情報報報告に応じて、該セクタ内で前記全てのチャネルに対するリソースの割り当てを開放する工程とを有することを特徴とする移動通信方法。
【請求項１１】
通信端末と複数のセクタとの間で設定されるチャネルを用いて通信を行う移動通信方法であって、
前記通信端末において、各チャネルについて、パイロット信号の受信品質に基づいてハンドオフ候補とすべきであるか否かについて判定する工程と、
前記通信端末において、特定チャネルをハンドオフ候補とするチャネル情報報報告を送信する工程と、
前記通信を制御する基地局制御装置において、前記チャネル情報報報告を受信した場合で、かつ、前記特定チャネルをハンドオフ候補とすることによって同一セクタ内でハンドオフ候補として設定されるチャネル数が所定数以上になる場合に、該セクタ内で該特定チャネルに対してリソースを割り当てる工程とを有することを特徴とする移動通信方法。
【請求項１２】
通信端末と複数のセクタとの間で設定されるチャネルを用いて通信を行う移動通信方法であって、
前記通信端末において、各チャネルについて、パイロット信号の受信品質に基づいてハンドオフ候補とすべきであるか否かについて判定する工程と、
前記通信端末において、特定チャネルをハンドオフ候補としないようにするチャネル情報報報告を送信する工程と、
前記通信を制御する基地局制御装置において、前記チャネル情報報報告を受信した場合で、かつ、前記特定チャネルをハンドオフ候補としないことによって同一セクタ内で設定されるチャネル数が所定数未満になる場合に、該セクタ内でハンドオフ候補として設定されている全てのチャネルに対するリソースの割り当てを開放する工程とを有することを特徴とする移動通信方法。
【発明の詳細な説明】
【技術分野】
【０００１】
本発明は、複数のセクタとの間で設定されるチャネルを用いて通信を行うように構成されている通信端末、通信端末と複数のセクタとの間で設定されているチャネルを用いて行われる通信を制御するように構成されている基地局制御装置、及び、通信端末と複数のセクタとの間で設定されるチャネルを用いて通信を行う移動通信方法に関する。
【背景技術】
【０００２】
近年、高速無線通信方式として、「ｃｄｍａ２０００  １ｘ-ＥＶ  ＤＯ方式」が開発されている。
【０００３】
「ｃｄｍａ２０００  １ｘ-ＥＶ  ＤＯ方式」が適用されている移動通信システムは、図１に示すように、複数の基地局（セクタαを管理する基地局や、セクタβを管理する基地局等）と、各セクタα、βと通信端末ＡＴとの間で設定されているチャネルを用いて行われる通信を制御するように構成されている基地局制御装置ＰＣＦ（Ｐａｃｋｅｔ  Ｃｏｎｔｒｏｌ  Ｆｕｎｃｔｉｏｎ）とを具備している。
【０００４】
かかる移動通信システムでは、通信端末ＡＴが、１つ又は複数のセクタとの間で設定される複数のキャリア（マルチキャリア）を用いて通信を行うように構成されることが想定されている。
【特許文献１】特開２００２-３００６４４号公報
【発明の開示】
【発明が解決しようとする課題】
【０００５】
しかしながら、通信端末ＡＴが、複数のセクタとの間で設定されたチャネルを用いて同時に通信を行う場合、基地局制御装置ＰＣＦが、１つの通信端末ＡＴの通信に対して制御すべきセクタ数が増加するため、移動通信システム側の負荷が大きくなるという問題点があった。
【０００６】
そこで、本発明は、以上の点に鑑みてなされたもので、各通信端末が、各セクタとの間で所定数未満のチャネルを設定することを回避することによって、移動通信システム側の負荷を低減する通信端末、基地局制御装置及び移動通信方法を提供することを目的とする。
【課題を解決するための手段】
【０００７】
本発明の第１の特徴は、複数のセクタ間で設定されるチャネルを用いて通信を行うように構成されている通信端末であって、各チャネルについて、パイロット信号の受信品質に基づいてハンドオフ候補とすべきであるか否かについて判定するように構成されている判定部と、特定のチャネルをハンドオフ候補とすることによって同一セクタ内でハンドオフ候補として設定されるチャネル数が所定数以上になる場合に、該特定チャネルをハンドオフ候補とするチャネル情報報告を送信するように構成されているチャネル情報報告送信部とを具備することを要旨とする。
【０００８】
本発明の第１の特徴において、前記チャネル情報報告送信部は、前記特定チャネルについてハンドオフ候補とすべきであると判定された場合であっても、同一セクタ内でハンドオフ候補として設定されるチャネル数が所定数以上にならない場合には、該特定チャネルをハンドオフ候補とするチャネル情報報告を送信しないように構成されていてもよい。
【０００９】
かかる発明によれば、通信端末において、パイロット信号の受信品質に基づいて特定チャネルについてハンドオフ候補とすべきであると判定された場合であっても、かかる特定チャネルをハンドオフ候補とするによって同一セクタ内でハンドオフ候補として設定されるチャネル数が所定数以上になる場合でなければ、かかる特定チャネルをハンドオフ候補としないため、かかる通信端末が、同一セクタ内で所定数未満のチャネルを設定する状態を形成することを回避することができる。
【００１０】
本発明の第２の特徴は、複数のセクタ間で設定されるチャネルを用いて通信を行うように構成されている通信端末であって、各チャネルについて、パイロット信号の受信品質に基づいてハンドオフ候補とすべきであるか否かについて判定するように構成されている判定部と、特定のチャネルをハンドオフ候補としないことによって同一セクタ内でハンドオフ候補として設定されるチャネル数が所定数未満になる場合に、該セクタ内でハンドオフ候補として設定されている全てのチャネルをハンドオフ候補としないようにするチャネル情報報告を送信するように構成されているチャネル情報報告送信部とを具備することを要旨とする。
【００１１】
本発明の第２の特徴において、前記チャネル情報報告送信部は、前記特定チャネルについてハンドオフ候補としないと判定された場合で、かつ、該特定チャネルをハンドオフ候補としないことによって前記セクタ内でハンドオフ候補として設定されるチャネル数が所定数未満にならない場合には、該特定チャネルだけをハンドオフ候補としないようにするチャネル情報報告を送信するように構成されていてもよい。
【００１２】
かかる発明によれば、通信端末において、パイロット信号の受信品質に基づいて特定チャネルについてハンドオフ候補としないようにすべきであると判定された場合、かかる特定チャネルをハンドオフ候補として設定しないことによって同一セクタ内でハンドオフ候補として設定されるチャネル数が所定数未満になる場合には、該セクタ内で設定されている全てのチャネルをハンドオフ候補としないようにするため、かかる通信端末が、同一セクタ内で所定数未満のチャネルを設定する状態を維持することを回避することができる。
【００１３】
本発明の第３の特徴は、通信端末と複数のセクタとの間で設定されているチャネルを用いて行われる通信を制御するように構成されている基地局制御装置であって、特定チャネルをハンドオフ候補とするチャネル情報報報告を受信するように構成されているチャネル情報報告受信部と、前記特定チャネルをハンドオフ候補とするチャネル情報報報告を受信した場合で、かつ、該特定チャネルをハンドオフ候補とすることによって同一セクタ内でハンドオフ候補として設定されるチャネル数が所定数以上になる場合に、該セクタにおいて、該特定チャネルに対してリソースを割り当てるように構成されているチャネル割り当て制御部とを具備することを要旨とする。
【００１４】
本発明の第３の特徴において、前記チャネル割り当て制御部は、前記特定チャネルをハンドオフ候補とするチャネル情報報報告を受信した場合であっても、該特定チャネルをハンドオフ候補とすることによって前記セクタ内でハンドオフ候補として設定されるチャネル数が所定数以上にならない場合には、該セクタにおいて、該特定チャネルに対してリソースを割り当てないように構成されていてもよい。
【００１５】
かかる発明によれば、基地局制御装置において、特定チャネルをハンドオフ候補とするチャネル情報報報告を受信した場合であっても、かかる特定チャネルをハンドオフ候補とすることによって同一セクタ内で設定されるチャネル数が所定数以上になる場合でなければ、かかる特定チャネルをハンドオフ候補としないため、かかる通信端末が、同一セクタ内で所定数未満のチャネルを設定する状態を形成することを回避することができる。
【００１６】
本発明の第４の特徴は、通信端末と複数のセクタとの間で設定されているチャネルを用いて行われる通信を制御するように構成されている基地局制御装置であって、特定チャネルをハンドオフ候補としないようにするチャネル情報報報告を受信するように構成されているチャネル情報報告受信部と、前記特定チャネルをハンドオフ候補としないようにするチャネル情報報報告を受信した場合で、かつ、該特定チャネルをハンドオフ候補としないことよって同一セクタ内でハンドオフ候補として設定されるチャネル数が所定数未満になる場合に、該セクタ内でハンドオフ候補として設定されている全てのチャネルに対するリソースの割り当てを開放するように構成されているチャネル割り当て制御部とを具備することを要旨とする。
【００１７】
本発明の第４の特徴において、前記チャネル割り当て制御部は、前記特定チャネルをハンドオフ候補としないようにするチャネル情報報報告を受信した場合で、かつ、該特定のチャネルをハンドオフ候補としないことによって該セクタ内でハンドオフ候補として設定されるチャネル数が所定数未満にならない場合には、該セクタ内で該特定チャネルに対するリソースの割り当てのみを開放するように構成されていてもよい。
【００１８】
かかる発明によれば、基地局制御装置において、特定チャネルをハンドオフ候補としないようにするチャネル情報報報告を受信した場合、かかる特定チャネルをハンドオフ候補としないことによって同一セクタ内で設定されるチャネル数が所定数未満になる場合には、該セクタ内で設定されている全てのチャネルをハンドオフ候補としないようにするため、同一セクタ内で所定数未満のチャネルを設定する状態を維持することを回避することができる。
【００１９】
本発明の第５の特徴は、通信端末と複数のセクタとの間で設定されるチャネルを用いて通信を行う移動通信方法であって、前記通信端末において、各チャネルについて、パイロット信号の受信品質に基づいてハンドオフ候補とすべきであるか否かについて判定する工程と、前記通信端末において、特定のチャネルをハンドオフ候補とすることによって同一セクタ内でハンドオフ候補として設定されるチャネル数が所定数以上になる場合に、該特定チャネルをハンドオフ候補とするチャネル情報報告を送信する工程と、前記通信を制御する基地局制御装置において、前記チャネル情報報報告に応じて、該特定チャネルに対してリソースを割り当てる工程とを有することを要旨とする。
【００２０】
本発明の第６の特徴は、通信端末と複数のセクタとの間で設定されるチャネルを用いて通信を行う移動通信方法であって、前記通信端末において、各チャネルについて、パイロット信号の受信品質に基づいてハンドオフ候補とすべきであるか否かについて判定する工程と、前記通信端末において、特定のチャネルをハンドオフ候補とすることによって同一セクタ内でハンドオフ候補として設定されるチャネル数が所定数未満になる場合に、該セクタ内で設定されている全てのチャネルをハンドオフ候補としないようにするチャネル情報報告を送信する工程と、前記通信を制御する基地局制御装置において、前記チャネル情報報報告に応じて、該セクタ内で前記全てのチャネルに対するリソースの割り当てを開放する工程とを有することを要旨とする。
【００２１】
本発明の第７の特徴は、通信端末と複数のセクタとの間で設定されるチャネルを用いて通信を行う移動通信方法であって、前記通信端末において、各チャネルについて、パイロット信号の受信品質に基づいてハンドオフ候補とすべきであるか否かについて判定する工程と、前記通信端末において、特定チャネルをハンドオフ候補とするチャネル情報報報告を送信する工程と、前記通信を制御する基地局制御装置において、前記チャネル情報報報告を受信した場合で、かつ、前記特定チャネルをハンドオフ候補とすることによって同一セクタ内でハンドオフ候補として設定されるチャネル数が所定数以上になる場合に、該セクタ内で該特定チャネルに対してリソースを割り当てる工程とを有することを要旨とする。
【００２２】
本発明の第８の特徴は、通信端末と複数のセクタとの間で設定されるチャネルを用いて通信を行う移動通信方法であって、前記通信端末において、各チャネルについて、パイロット信号の受信品質に基づいてハンドオフ候補とすべきであるか否かについて判定する工程と、前記通信端末において、特定チャネルをハンドオフ候補としないようにするチャネル情報報報告を送信する工程と、前記通信を制御する基地局制御装置において、前記チャネル情報報報告を受信した場合で、かつ、前記特定チャネルをハンドオフ候補としないことによって同一セクタ内で設定されるチャネル数が所定数未満になる場合に、該セクタ内でハンドオフ候補として設定されている全てのチャネルに対するリソースの割り当てを開放する工程とを有することを要旨とする。
【発明の効果】
【００２３】
以上説明したように、本発明によれば、各通信端末が、各セクタとの間で所定数未満のチャネルを設定することを回避することによって、移動通信システム側の負荷を低減する通信端末、基地局制御装置及び移動通信方法を提供することができる。
【発明を実施するための最良の形態】
【００２４】
（本発明の第１の実施形態に係る移動通信システムの構成）
図１及び図２を参照して、本発明の第１の実施形態に係る移動通信システムの構成について説明する。本実施形態に係る移動通信システムは、「ｃｄｍａ２０００  １ｘ-ＥＶ  ＤＯ方式」を適用しており、通信端末ＡＴは、１つ又は複数のセクタとの間で設定される複数のチャネル（マルチキャリア）を用いて通信を行うように構成されている。
【００２５】
具体的には、本実施形態に係る移動通信システムは、図１に示すように、複数の基地局（セクタαを管理する基地局や、セクタβを管理する基地局等）と、各セクタα、βと通信端末ＡＴとの間で設定されているチャネルを用いて行われる通信を制御するように構成されている基地局制御装置ＰＣＦ（Ｐａｃｋｅｔ  Ｃｏｎｔｒｏｌ  Ｆｕｎｃｔｉｏｎ）とを具備している。
【００２６】
なお、本明細書では、基地局は、複数のエリアにおける通信端末の無線通信を制御するように構成されており、各エリアにおける通信端末の無線通信を制御する基地局の機能（例えば、アンテナ等）を「セクタ」を表現する。
【００２７】
本実施形態に係る基地局制御装置ＰＣＦは、通信端末ＡＴと各セクタ（例えば、第１のセクタα又は第２のセクタβ）との間で設定されているチャネルを用いて行われる通信を制御するように構成されている。
【００２８】
例えば、本実施形態に係る基地局制御装置ＰＣＦは、各セクタに対して、通信端末ＡＴ宛てのデータを振り分ける機能を具備している。
【００２９】
本実施形態に係る通信端末ＡＴは、１つ又は複数のセクタとの間で設定される複数のチャネル（マルチキャリア）を用いて通信を行うように構成されている。図１の例では、通信端末ＡＴは、第１のセクタα又は第２のセクタβとの間で設定されるチャネルを用いて通信を行うように構成されている。
【００３０】
なお、本実施形態に係る通信端末ＡＴは、このように構成されている装置であればよく、無線通信端末であってもよいし、無線モジュールであってもよいし、カード端末であってもよい。
【００３１】
図２に示すように、本実施形態に係る通信端末ＡＴは、通信設定部１１と、通信パラメータ記憶部１２と、データ通信部１３と、パイロット信号監視部１４と、チャネル割り当て判定部１５と、チャネル情報報告送信部１６とを具備している。
【００３２】
通信設定部１１は、通信端末ＡＴによって行われるデータ通信（パケット通信）を行うためのトラフィックチャネル（ＴｒＣＨ）の設定処理を行うように構成されている。具体的には、通信設定部１１は、「ＣｏｎｎｅｃｔｉｏｎＲｅｑｕｅｓｔ」を送信することによって、かかるトラフィックチャネル（ＴｒＣＨ）の設定処理を行うように構成されている。
【００３３】
また、通信設定部１１は、基地局制御装置ＰＣＦから、かかるデータ通信を行うために必要な通信パラメータ（例えば、ハンドオフ候補閾値やハンドオフ候補削除閾値やハンドオフ候補最小キャリア数や最小保持キャリア数等）を取得するように構成されている。
【００３４】
例えば、通信設定部１１は、「ＣｏｎｆｉｇｕｒａｔｉｏｎＲｅｑｕｅｓｔ」を送信することによって、かかる通信パラメータを取得するように構成されていてもよい。
【００３５】
通信設定部１１は、任意のタイミングで、かかる通信パラメータを取得するように構成されていてもよい。この結果、通信パラメータは、任意のタイミングで更新され得るので、リアルタイムに基地局制御装置ＰＣＦの状況に適した値に設定され得る。
【００３６】
通信パラメータ記憶部１２は、通信設定部１１によって取得された通信パラメータを記憶するように構成されている。データ通信部１３は、通信パラメータ記憶部１２によって記憶されている通信パラメータを用いて、データ通信を行うように構成されている。
【００３７】
パイロット信号監視部１４は、通信設定部１１によって設定されているチャネル（キャリア）の各々について、パイロット信号の受信品質（例えば、受信強度やＳＩＲやＣＩＲ等）を監視するように構成されている。
【００３８】
また、パイロット信号監視部１４は、通信端末ＡＴの周辺セクタから送信されるチャネル（例えば、共通制御チャネル）についてのパイロット信号の受信品質（例えば、受信強度やＳＩＲやＣＩＲ等）を監視するように構成されている。
【００３９】
チャネル割り当て判定部１５は、通信設定部１１によって設定されているチャネルの各々について、パイロット信号監視部１４によって監視されているパイロット信号の受信品質に基づいてハンドオフ候補とすべきであるか否かについて判定するように構成されている。
【００４０】
具体的には、チャネル割り当て判定部１５は、特定チャネルについてのパイロット信号の受信品質がハンドオフ候補閾値を下回る場合、かかる特定チャネルについてハンドオフ候補とすべきであるか否かについて判定するように構成されている。
【００４１】
チャネル情報報告送信部１６は、チャネル割り当て判定部１５による判定結果に応じて、ハンドオフ候補として設定されている特定チャネルに関するチャネル情報報告（ＲＵ：ＲｏｕｔｅＵｐｄａｔｅ）を送信するように構成されている。
【００４２】
例えば、チャネル情報報告送信部１６は、第２のセクタβにおける特定チャネルについてハンドオフ候補とすべきであると判定された場合で、かつ、かかる特定チャネルをハンドオフ候補とすることによって第２のセクタβ内で設定されるチャネル数が所定数（ハンドオフ候補最小キャリア数）以上になる場合に、かかる特定チャネルに関するチャネル情報報告（ＲＵ）を送信するように構成されている（通信端末ＡＴにおいてチャネル設定可能なセクタ数が増加する場合）。
【００４３】
ここで、チャネル情報報告送信部１６は、第２のセクタβにおける特定チャネルについてハンドオフ候補とすべきであると判定された場合であっても、かかる特定チャネルをハンドオフ候補とすることによって第２のセクタβ内で設定されるチャネル数が所定数（ハンドオフ実行最小キャリア数）以上にならない場合には、かかる特定チャネルに関するチャネル情報報告（ＲＵ）を送信しないように構成されている。
【００４４】
また、チャネル情報報告送信部１６は、第２のセクタβにおける特定チャネルについてハンドオフ候補としないようにすべきであると判定された場合で、かつ、かかる特定チャネルをハンドオフ候補としないことによって第２のセクタβ内で設定されるチャネル数が所定数（最小保持キャリア数）未満になる場合に、第２のセクタβ内で設定されている全てのチャネルをハンドオフ候補としないようにするチャネル情報報告（ＲＵ）を送信するように構成されている（通信端末ＡＴにおいてチャネル設定可能なセクタ数が減少する場合）。
【００４５】
ここで、チャネル情報報告送信部１６は、かかる特定チャネルについてハンドオフ候補としないようにすべきであると判定された場合であっても、かかる特定チャネルをハンドオフ候補としないことによって第２のセクタβ内で設定されるチャネル数が所定数（最小保持キャリア数）未満にならない場合には、第２のセクタβ内で設定されている全てのチャネルではなく、かかる特定チャネルのみをハンドオフ候補としないようにするチャネル情報報告（ＲＵ）を送信するように構成されている。
【００４６】
（本発明の第１の実施形態に係る移動通信システムの動作）
図３乃至図８を参照して、本発明の第１の実施形態に係る移動通信システムの動作について説明する。
【００４７】
第１に、図３乃至図５を参照して、通信端末ＡＴがチャネルを設定するセクタ数が増加する場合の本実施形態に係る移動通信システムの動作について説明する。かかる場合、図３に示すように、通信端末ＡＴが、位置Ａから位置Ｂに移動し、各チャネル（キャリア）についてのパイロット信号の受信品質が、表（ａ）から（ｂ）のように変更するものとする。
【００４８】
図４に示すように、ステップＳ１００１において、通信端末ＡＴは、位置Ａに存在しており、第１のセクタαとの間で設定されているチャネルα１乃至α５を用いて通信を行っている。ここで、ハンドオフ候補閾値（パイロット信号の受信強度）は「−８０（ｄＢ）」であり、ハンドオフ候補最小キャリア数は「３」であるものとする。
【００４９】
ステップＳ１００２において、第２のセクタβにおけるチャネルβ５についてのパイロット信号の受信品質がハンドオフ候補閾値を上回るものとする（表（ａ）参照）。
【００５０】
この際、通信端末ＡＴは、チャネルβ５について、パイロット信号の受信品質が「−７９（ｄＢ）」となり、ハンドオフ閾値「−８０（ｄＢ）」を上回るため、ハンドオフ候補とすべきであると判定するが、チャネルβ５をハンドオフ候補とすることによって第２のセクタβ内でハンドオフ候補として設定されるチャネル数が「１」となり（チャネルβ５のみ）、ハンドオフ候補最小キャリア数「３」以上にならないので、チャネルα５をハンドオフ候補とするチャネル情報報告（ＲＵ）を送信しない（ステップＳ１００３参照）。
【００５１】
ステップＳ１００４において、通信端末ＡＴが、位置Ｂに移動した結果、チャネルβ３についてのパイロット信号の受信品質が「−７８（ｄＢ）」となり、チャネルβ４についてのパイロット信号の受信品質が「−７５（ｄＢ）」となり、チャネルβ５についてのパイロット信号の受信品質が「−７７（ｄＢ）」となる（表（ｂ）参照）。
【００５２】
その結果、通信端末ＡＴは、チャネルβ３乃至β５についてのパイロット信号の受信品質が、ハンドオフ候補閾値「−８０（ｄＢ）」を上回るため、チャネルβ３乃至β５をハンドオフ候補とすべきであると判定し、チャネルβ３乃至β５をハンドオフ候補とすることによって第２のセクタβ内でハンドオフ候補として設定されるチャネル数が「３」となり、ハンドオフ候補最小キャリア数「３」以上となるので、ステップＳ１００５において、チャネルβ３乃至β５をハンドオフ候補とするチャネル情報報告（ＲＵ）を送信する。
【００５３】
なお、図４のステップＳ１００５におけるＲＵ（α１、α２、α３、α４、α５、β３、β４、β５）は、チャネルα１、α２、α３、α４、α５、β３、β４、β５の受信品質が、ハンドオフ候補閾値を上回っていることを示す。
【００５４】
ステップＳ１００６において、第１のセクタαは、受信したチャネル情報報告に応じて、チャネルβ３乃至β５をハンドオフ候補とするチャネル情報報告（ＲＵ）を通知するための「Ａ９-Ｓｅｔｕｐ-Ａ８」メッセージを基地局制御装置ＰＣＦに送信する。
【００５５】
ステップＳ１００７において、基地局制御装置ＰＣＦは、受信した「Ａ９-Ｓｅｔｕｐ-Ａ８」メッセージ（チャネル情報報報告）に応じて、第２のセクタβにおいてチャネルβ３乃至β５に対してリソースを割り当てる。
【００５６】
そして、基地局制御装置ＰＣＦは、「Ａ９-Ｃｏｎｎｅｃｔ-Ａ８」メッセージによって、かかるリソース割り当て結果（チャネルβ３乃至β５）を第１のセクタα及び第２のセクタβに通知する。
【００５７】
ステップＳ１００８において、第１のセクタαは、「ＴＣＡ：ＴｒａｆｆｉｃＣｈａｎｎｅｌＡｓｓｉｇｎｍｅｎｔ」によって、通信端末ＡＴに対して、第２のセクタβにおけるリソース割り当て結果（チャネルβ３乃至β５）を通知する。
【００５８】
なお、図４のステップＳ１００８におけるＴＣＡ（α１、α２、α３、α４、α５、β３、β４、β５）は、チャネルα１、α２、α３、α４、α５、β３、β４、β５をハンドオフ候補として設定したことを示す。
【００５９】
ステップＳ１００９において、通信端末ＡＴは、受信したＴＣＡに応じて、チャネルα３乃至α５についてハンドオフを任意に実行できるようになり、第１のセクタαとの間で設定されているチャネルα１及びα２、及び、第２のセクタβとの間で設定されているチャネルβ３乃至β５を用いて通信を行うことが可能になる。ここで、ハンドオフ候補としないようにするための閾値は、「−１００（ｄＢ）」と設定されているものとする。
【００６０】
なお、図５に、上述した通信端末ＡＴがチャネル情報報告（ＲＵ）を送信するか否かについて判定する動作を示すフローチャートを示す。
【００６１】
図５に示すように、ステップＳ１０１において、通信端末ＡＴは、各セクタにおけるチャネル（キャリア）のうち、ハンドオフ候補閾値を上回るチャネル（１つ又は複数のチャネル）が発生したか否かについて監視している。
【００６２】
かかるチャネルが発生した場合、ステップＳ１０２において、通信端末ＡＴは、かかるチャネルをハンドオフ候補とすると、同一セクタ（本実施形態では、第２のセクタβ）内でハンドオフ候補として設定されるチャネル数がハンドオフ候補最小キャリア数に達することになるか否かについて判定する。
【００６３】
ここで、通信端末ＡＴは、ハンドオフ候補最小キャリア数に達すると判定した場合、ステップＳ１０３において、かかるチャネルについてハンドオフ候補として追加するためのチャネル情報報告（ＲＵ）を送信し、ハンドオフ候補最小キャリア数に達しないと判定した場合、かかるチャネルについてハンドオフ候補として追加するためのチャネル情報報告（ＲＵ）を送信することなく、ステップＳ１０１に戻る。
【００６４】
第２に、図６乃至図８を参照して、通信端末ＡＴがチャネルを設定するセクタ数が減少する場合の本実施形態に係る移動通信システムの動作について説明する。かかる場合、図６に示すように、通信端末ＡＴが、位置Ｃから位置Ｄに移動する際、各チャネル（キャリア）についてのパイロット信号の受信品質が、表（ｄ）から（ｅ）のように変更するものとする。
【００６５】
図７に示すように、ステップＳ２００１において、通信端末ＡＴは、位置Ｃに存在しており、第１のセクタαとの間で設定されているチャネルα１及びα２、及び、第２のセクタβとの間で設定されているチャネルβ３乃至β５を用いて通信を行っている。ここで、ハンドオフ候補削除閾値（パイロット信号の受信強度）は「−１００（ｄＢ）」であり、最小保持キャリア数は「２」であるものとする。
【００６６】
ステップＳ２００２において、通信端末ＡＴが、位置Ｄに移動した結果、第１のセクタαとの間で設定されているチャネルα２についてのパイロット信号の受信品質がハンドオフ候補削除閾値を下回るものとする（表（ｅ）参照）。
【００６７】
この際、通信端末ＡＴは、チャネルα２について、パイロット信号の受信品質が「−１０３（ｄＢ）」となり、ハンドオフ候補削除閾値「−１００（ｄＢ）」を下回るため、チャネルα２をハンドオフ候補としないようにするによって第１のセクタα内でハンドオフ候補として設定されるチャネル数が「１」となり（チャネルα２乃至α５は、ハンドオフ候補から削除されているため）、最小保持キャリア数「２」未満になるので、（チャネルα１についてのパイロット信号の受信品質がハンドオフ候補削除閾値を下回っていなくても）チャネルα２だけでなくチャネルα１についてもハンドオフ候補としないようにする（ハンドオフ候補から削除する）チャネル情報報告（ＲＵ（−α１、−α２））を送信する（ステップＳ２００３参照）。
【００６８】
ステップＳ２００４において、第２のセクタβは、受信したチャネル情報報告に応じて、チャネルα１及びα２をハンドオフ候補としないようにするチャネル情報報告（ＲＵ）を通知するための「Ａ９-Ｓｅｔｕｐ-Ａ８」メッセージを基地局制御装置ＰＣＦに送信する。
【００６９】
ステップＳ２００５において、基地局制御装置ＰＣＦは、受信した「Ａ９-Ｓｅｔｕｐ-Ａ８」メッセージ（チャネル情報報報告）に応じて、第１のセクタαにおいてチャネルα１及びα２に対するリソースの割り当てを開放する。
【００７０】
そして、基地局制御装置ＰＣＦは、「Ａ９-Ｃｏｎｎｅｃｔ-Ａ８」メッセージによって、かかるリソース割り当て開放結果（チャネルα１及びα２）を第１のセクタα及び第２のセクタβに通知する。
【００７１】
ステップＳ２００６において、第２のセクタβは、「ＴＣＡ（β１、β２、β３、β４、β５）」によって、通信端末ＡＴに対して、第１のセクタにおけるリソース割り当て開放結果（チャネルα１及びα２）を通知する。
【００７２】
ステップＳ２００７において、通信端末ＡＴは、受信したＴＣＡに応じて、チャネルα１及びα２についてハンドオフ候補から削除し、第２のセクタβとの間で設定されているチャネルβ１乃至β５を用いて通信を行うことが可能になる（表（ｅ）参照）。
【００７３】
なお、図８に、上述した通信端末ＡＴがチャネル情報報告（ＲＵ）を送信するか否かについて判定する動作を示すフローチャートを示す。
【００７４】
図８に示すように、ステップＳ２０１において、通信端末ＡＴは、各セクタにおけるチャネル（キャリア）のうち、ハンドオフ候補削除閾値を下回るチャネル（１つ又は複数のチャネル）が発生したか否かについて監視している。
【００７５】
かかるチャネルが発生した場合、ステップＳ２０２において、通信端末ＡＴは、かかるチャネルについてハンドオフ候補から削除すると、同一セクタ（本実施形態では、第１のセクタα）内でハンドオフ候補として設定されるチャネル数が最小保持キャリア数未満になるか否かについて判定する。
【００７６】
ここで、通信端末ＡＴは、最小保持キャリア数未満になると判定した場合、ステップＳ２０３において、同一セクタ内で設定されている全てのチャネルについてハンドオフ候補としないようにする（ハンドオフ候補から削除する）チャネル情報報告（ＲＵ）を送信し、最小保持キャリア数未満にならないと判定した場合、ステップＳ２０３において、かかるチャネルについてのみハンドオフ候補としないようにする（ハンドオフ候補から削除する）チャネル情報報告（ＲＵ）を送信する。
【００７７】
（本発明の第１の実施形態に係る移動通信システムの作用・効果）
本実施形態に係る移動通信システムによれば、通信端末ＡＴにおいて、パイロット信号の受信品質（受信強度等）に基づいて第２のセクタβにおけるチャネルβ５についてハンドオフ候補とすべきであると判定された場合であっても、かかるチャネルβ５をハンドオフ候補とすることによって第２のセクタβ内でハンドオフ候補として設定されるチャネル数が所定数（ハンドオフ候補最小キャリア数）以上になる場合でなければ、かかるチャネルβ５をハンドオフ候補としないため、かかる通信端末ＡＴが、第２のセクタβとの間で所定数（ハンドオフ候補最小キャリア数）未満のチャネルを設定する状態を形成することを回避することができる。
【００７８】
本実施形態に係る移動通信システムによれば、通信端末ＡＴにおいて、パイロット信号の受信品質（受信強度等）に基づいて第１のセクタαにおけるチャネルα２についてハンドオフ候補とすべきでないと判定された場合、かかるチャネルα２をハンドオフ候補から削除することによって第１のセクタα内でハンドオフ候補として設定されるチャネル数が所定数（最小保持キャリア数）未満になる場合には、第１のセクタα内でハンドオフ候補として設定されている全てのチャネル（チャネルα１、α２）をハンドオフ候補から削除するため、かかる通信端末ＡＴが、第１のセクタαとの間で所定数（最小保持キャリア数）未満のチャネルを設定する状態を維持することを回避することができる。
【００７９】
（本発明の第２の実施形態に係る移動通信システムの構成）
図１及び図９を参照して、本発明の第２の実施形態に係る移動通信システムの構成について説明する。以下、本実施形態に係る移動通信システムの構成について、上述した本発明の第１の実施形態に係る移動通信システムの構成との相違点を主として説明する。
【００８０】
図９に示すように、本実施形態に係る基地局制御装置ＰＣＦは、通信制御部３１と、通信パラメータ記憶部３２と、データ通信部３３と、チャネル情報報告受信部３４と、チャネル割り当て制御部３５とを具備している。
【００８１】
通信制御部３１は、各通信端末ＡＴによって行われるデータ通信（パケット通信）を行うためのトラフィックチャネル（ＴｒＣＨ）の設定処理を行うように構成されている。
【００８２】
また、通信制御部３１は、かかるデータ通信を行うために必要な通信パラメータ（例えば、ハンドオフ候補閾値やハンドオフ候補削除閾値やハンドオフ候補最小キャリア数や最小保持キャリア数等）を設定するように構成されている。
【００８３】
例えば、通信制御部３１は、各通信端末ＡＴから送信された「ＣｏｎｆｉｇｕｒａｔｉｏｎＲｅｑｕｅｓｔ」に応じて、かかる通信パラメータを設定するように構成されていてもよい。
【００８４】
通信制御部３１は、任意のタイミングで、基地局制御装置ＰＣＦの状況に従って、かかる通信パラメータを設定するように構成されていてもよい。
【００８５】
通信パラメータ記憶部３２は、各通信端末ＡＴに対して設定した通信パラメータを記憶するように構成されている。データ通信部３３は、通信パラメータ記憶部３２によって記憶されている通信パラメータを用いて、データ通信を行うように構成されている。例えば、データ通信部３３は、各通信端末ＡＴ宛てのデータを、適切なセクタに対して割り振って送信するように構成されている。
【００８６】
チャネル情報報告受信部３４は、特定チャネルをハンドオフ候補とする（ハンドオフ候補として追加する）チャネル情報報報告（ＲＵ）を受信するように構成されている。
【００８７】
チャネル割り当て制御部３５は、通信端末ＡＴから受信したチャネル情報報告（ＲＵ）に応じて、特定セクタにおいて、特定チャネルに対してリソースを割り当てるように構成されている。
【００８８】
例えば、チャネル割り当て制御部３５は、通信端末ＡＴから、第２のセクタβにおける特定チャネルをハンドオフ候補として追加するチャネル情報報報告（ＲＵ）を受信した場合で、かつ、かかる特定チャネルをハンドオフ候補とすることによって第２のセクタβ内でハンドオフ候補として設定されるチャネル数が所定数（ハンドオフ候補最小キャリア数）以上になる場合に、第２のセクタβにおいて、かかる特定チャネルに対してリソース（新たなチャネル）を割り当てるように構成されている。
【００８９】
ここで、チャネル割り当て制御部３５は、第２のセクタβにおける特定チャネルをハンドオフ候補とするチャネル情報報報告（ＲＵ）を受信した場合であっても、かかる特定チャネルをハンドオフ候補とすることによって第２のセクタβ内でハンドオフ候補として設定されるチャネル数が所定数（ハンドオフ実行最小キャリア数）以上にならない場合には、第２のセクタβにおいて、かかる特定チャネルに対してリソースを割り当てないように構成されている。
【００９０】
また、チャネル割り当て制御部３５は、第１のセクタαにおける特定チャネルをハンドオフ候補としないようにする（ハンドオフ候補から削除する）チャネル情報報報告（ＲＵ）を受信した場合で、かつ、かかる特定チャネルをハンドオフ候補としないことによって第１のセクタα内でハンドオフ候補として設定されるチャネル数が所定数（最小保持キャリア数）未満になる場合に、第１のセクタα内でハンドオフ候補として設定されている全てのチャネルに対するリソースの割り当てを開放するように構成されている。
【００９１】
ここで、チャネル割り当て制御部３５は、第１のセクタαにおける特定チャネルをハンドオフ候補から削除するチャネル情報報報告（ＲＵ）を受信した場合であっても、かかる特定チャネルをハンドオフ候補から削除することによって第１のセクタα内でハンドオフ候補として設定されるチャネル数が所定数（最小保持キャリア数）未満にならない場合には、第１のセクタαにおいて、かかる特定チャネルに対するリソースの割り当てのみを開放するように構成されている。
【００９２】
（本発明の第２の実施形態に係る移動通信システムの動作）
図１０及び図１１を参照して、本発明の第２の実施形態に係る移動通信システムの動作について説明する。
【００９３】
第１に、図３及び図１０を参照して、通信端末ＡＴにおいてチャネル設定可能なセクタ数が増加する場合の本実施形態に係る移動通信システムの動作について説明する。かかる場合、図３に示すように、通信端末ＡＴが、位置Ａから位置Ｂに移動し、各チャネル（キャリア）についてのパイロット信号の受信品質が、表（ａ）から（ｂ）のように変更するものとする。
【００９４】
図１０に示すように、ステップＳ３００１において、通信端末ＡＴは、位置Ａに存在しており、第１のセクタαとの間で設定されているチャネルα１乃至α５を用いて通信を行っている。ここで、ハンドオフ候補閾値（パイロット信号の受信強度）は「−８０（ｄＢ）」であり、ハンドオフ候補最小キャリア数は「３」であるものとする。
【００９５】
ステップＳ３００２において、チャネルβ５についてのパイロット信号の受信品質がハンドオフ候補閾値を上回るものとする（表（ａ）参照）。
【００９６】
通信端末ＡＴは、チャネルβ５についてのパイロット信号の受信品質が「−７９（ｄＢ）」となり、ハンドオフ閾値「−８０（ｄＢ）」」を上回るため、ステップＳ３００３において、チャネルβ５についてハンドオフ候補として追加すべきであると判定し、チャネルβ５をハンドオフとして追加するチャネル情報報告（ＲＵ（β５））を送信する。
【００９７】
ステップＳ３００４において、第１のセクタαは、受信したチャネル情報報告に応じて、チャネルβ５をハンドオフ候補として追加するチャネル情報報告（ＲＵ）を通知するための「Ａ９-Ｓｅｔｕｐ-Ａ８」メッセージを基地局制御装置ＰＣＦに送信する。
【００９８】
ステップＳ３００５において、基地局制御装置ＰＣＦは、チャネルβ５をハンドオフ候補として追加するチャネル情報報告（ＲＵ）を通知するための「Ａ９-Ｓｅｔｕｐ-Ａ８」メッセージを受信したが、かかるチャネルβ５をハンドオフ候補として追加することによって第２のセクタβ内でハンドオフ候補として設定されるチャネル数が「１」となり（チャネルβ５のみ）、ハンドオフ候補最小キャリア数「３」以上にならないので、第２のセクタβにおいてチャネルβ５に対してリソースを割り当てない旨決定する。
【００９９】
そのため、ステップＳ３００６において、基地局制御装置ＰＣＦは、第２のセクタβにおいてチャネルβ５に対するリソースの割り当て結果を通知するための「Ａ９-Ｃｏｎｎｅｃｔ-Ａ８」メッセージを送信しない。
【０１００】
ステップＳ３００７において、通信端末ＡＴが、位置Ｂに移動した結果、チャネルβ３についてのパイロット信号の受信品質が「−７８（ｄＢ）」となり、チャネルβ４についてのパイロット信号の受信品質が「−７５（ｄＢ）」となり、チャネルβ５についてのパイロット信号の受信品質が「−７７（ｄＢ）」となる（表（ｂ）参照）。
【０１０１】
その結果、通信端末ＡＴは、チャネルβ３乃至β５についてのパイロット信号の受信品質が、ハンドオフ候補閾値「−８０（ｄＢ）」を上回るため、チャネルβ３乃至β５についてハンドオフ候補とすべきであると判定し、ステップＳ３００８において、チャネルβ３乃至β５をハンドオフ候補として追加するチャネル情報報告（ＲＵ（β３、β４、β５））を送信する。
【０１０２】
ステップＳ３００９において、第１のセクタαは、受信したチャネル情報報告に応じて、チャネルα３乃至α５を第２のセクタβに対してハンドオフさせるためのチャネル情報報告（ＲＵ）を通知するための「Ａ９-Ｓｅｔｕｐ-Ａ８」メッセージを基地局制御装置ＰＣＦに送信する。
【０１０３】
ステップＳ３０１０において、基地局制御装置ＰＣＦは、チャネルβ３乃至β５をハンドオフ候補として追加するチャネル情報報告（ＲＵ）を通知するための「Ａ９-Ｓｅｔｕｐ-Ａ８」メッセージを受信し、かかるチャネルβ３乃至β５をハンドオフ候補とすることによって第２のセクタβ内でハンドオフ候補として設定されるチャネル数が「３」となり、ハンドオフ候補最小キャリア数「３」以上となるので、第２のセクタβにおいてチャネルβ３乃至β５に対してリソースを割り当てる旨決定する。
【０１０４】
ステップＳ３０１１において、基地局制御装置ＰＣＦは、「Ａ９-Ｃｏｎｎｅｃｔ-Ａ８」メッセージによって、かかるリソース割り当て結果（チャネルβ３乃至β５）を第１のセクタα及び第２のセクタβに通知する。
【０１０５】
ステップＳ３０１２において、第１のセクタαは、「ＴＣＡ（α１、α２、α３、α４、α５、β３、β４、β５）」によって、通信端末ＡＴに対して、第２のセクタにおけるリソース割り当て結果（チャネルβ３乃至β５）を通知する。
【０１０６】
ステップＳ３０１３において、通信端末ＡＴは、受信したＴＣＡに応じて、チャネルα３乃至α５についてハンドオフを任意に実行できるようになり、第１のセクタαとの間で設定されているチャネルα１及びα２、及び、第２のセクタβとの間で設定されているチャネルβ３乃至β５を用いて通信を行うことが可能になる。
【０１０７】
第２に、図６及び図１１を参照して、通信端末ＡＴにおいてチャネル設定可能セクタ数が減少する場合の本実施形態に係る移動通信システムの動作について説明する。かかる場合、図６に示すように、通信端末ＡＴが、位置Ｃから位置Ｄに移動した結果、各チャネル（キャリア）についてのパイロット信号の受信品質が、表（ｄ）から（ｅ）のように変更するものとする。
【０１０８】
図１１に示すように、ステップＳ４００１において、通信端末ＡＴは、位置Ｃに存在しており、第１のセクタαとの間で設定されているチャネルα１及びα２、及び、第２のセクタβとの間で設定されているチャネルβ３乃至β５を用いて通信を行っている。ここで、ハンドオフ候補削除閾値（パイロット信号の受信強度）は「−１００（ｄＢ）」であり、最小保持キャリア数は「２」であるものとする。
【０１０９】
ステップＳ４００２において、第１のセクタαとの間で設定されているチャネルα２についてのパイロット信号の受信品質がハンドオフ候補削除閾値を下回るものとする（表（ｄ）参照）。
【０１１０】
通信端末ＡＴは、チャネルα２についてのパイロット信号の受信品質が「−１０３（ｄＢ）」となり、ハンドオフ候補削除閾値「−１００（ｄＢ）」を下回るため、ステップＳ４００３において、チャネルα２についてハンドオフ候補から削除すべきであると判定し、チャネルα２をハンドオフ候補から削除するチャネル情報報告（ＲＵ（−α２））を送信する。
【０１１１】
ステップＳ４００４において、第１のセクタαは、受信したチャネル情報報告に応じて、チャネルα２をハンドオフ候補から削除するチャネル情報報告（ＲＵ）を通知するための「Ａ９-Ｓｅｔｕｐ-Ａ８」メッセージを基地局制御装置ＰＣＦに送信する。
【０１１２】
ステップＳ４００５において、基地局制御装置ＰＣＦは、チャネルα２をハンドオフ候補から削除するチャネル情報報告（ＲＵ）を通知するための「Ａ９-Ｓｅｔｕｐ-Ａ８」メッセージを受信し、チャネルα２をハンドオフ候補から削除することによって第１のセクタα内でハンドオフ候補として設定されるチャネル数が「１」となり、最小保持キャリア数「２」未満となるので、（チャネルα１についてのパイロット信号の受信品質がハンドオフ候補削除閾値を下回っていなくても）チャネルα２だけでなくチャネルα１に対してもリソースの割り当てを開放する旨決定する。
【０１１３】
ステップＳ４００６において、基地局制御装置ＰＣＦは、「Ａ９-Ｃｏｎｎｅｃｔ-Ａ８」メッセージによって、かかるリソース割り当て開放結果（チャネルα１及びα２）を第１のセクタα及び第２のセクタβに通知する。
【０１１４】
ステップＳ４００７において、第１のセクタαは、「ＴＣＡ（β１、β２、β３、β４、β５）」によって、通信端末ＡＴに対して、第１のセクタαにおけるリソース割り当て開放結果（チャネルα１及びα２）を通知する。
【０１１５】
ステップＳ４００８において、通信端末ＡＴは、受信したＴＣＡに応じて、チャネルα１及びα２についてハンドオフを任意に実行できるようになり、第２のセクタβとの間で設定されているチャネルβ１乃至β５を用いて通信を行うことが可能になる（表（ｅ）参照）。
【０１１６】
（本発明の第２の実施形態に係る移動通信システムの作用・効果）
本実施形態に係る移動通信システムによれば、基地局制御装置ＰＣＦにおいて、第２のセクタβにおけるチャネルβ５をハンドオフ候補に追加するためのチャネル情報報報告（ＲＵ）を受信した場合であっても、チャネルβ５をハンドオフ候補に追加することによって第２のセクタβ内でハンドオフ候補として設定されるチャネル数が所定数（ハンドオフ候補最小キャリア数）以上になる場合でなければ、チャネルβ５をハンドオフ候補に追加しないため、かかる通信端末ＡＴが、第２のセクタβとの間で所定数（ハンドオフ候補最小キャリア数）未満のチャネルを設定する状態を形成することを回避することができる。
【０１１７】
本実施形態に係る移動通信システムによれば、基地局制御装置ＰＣＦにおいて、第１のセクタαにおけるチャネルα２をハンドオフ候補から削除するためのチャネル情報報報告（ＲＵ）を受信した場合、チャネルα２をハンドオフ候補から削除することによって第１のセクタα内でハンドオフ候補として設定されるチャネル数が所定数（最小保持キャリア数）未満になる場合には、第１のセクタα内でハンドオフ候補として設定されている全てのチャネル（チャネルα１、α２）をハンドオフ候補から削除するため、通信端末ＡＴと第１のセクタαとの間で所定数（最小保持キャリア数）未満のチャネルを設定する状態を維持することを回避することができる。
【０１１８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１１９】
【図１】一般的な移動通信システムの全体構成図である。
【図２】本発明の第１の実施形態に係る通信端末の機能ブロック図である。
【図３】本発明の第１の実施形態に係る移動通信システムにおいてセクタ数が増加する場合のハンドオフ候補追加処理を説明するための図である。
【図４】本発明の第１の実施形態に係る移動通信システムにおいてセクタ数が増加する場合のハンドオフ候補追加処理を示すシーケンス図である。
【図５】本発明の第１の実施形態に係る移動通信システムにおいて、通信端末が、セクタ数が増加するハンドオフ候補追加処理を行うか否かについて判断する動作を示すフローチャートである。
【図６】本発明の第１の実施形態に係る移動通信システムにおいてセクタ数が減少する場合のハンドオフ候補削除処理を説明するための図である。
【図７】本発明の第１の実施形態に係る移動通信システムにおいてセクタ数が減少する場合のハンドオフ候補削除処理を示すシーケンス図である。
【図８】本発明の第１の実施形態に係る移動通信システムにおいて、通信端末が、セクタ数が減少するハンドオフ候補削除処理を行うか否かについて判断する動作を示すフローチャートである。
【図９】本発明の第２の実施形態に係る基地局制御装置の機能ブロック図である。
【図１０】本発明の第２の実施形態に係る移動通信システムにおいてセクタ数が増加する場合のハンドオフ候補追加処理を示すシーケンス図である。
【図１１】本発明の第２の実施形態に係る移動通信システムにおいてセクタ数が減少する場合のハンドオフ候補削除処理を示すシーケンス図である。
【符号の説明】
【０１２０】
ＡＴ…通信端末
１１…通信設定部
１２、３２…通信パラメータ記憶部
１３、３３…データ通信部
１４…パイロット信号監視部
１５…チャネル割り当て判定部
１６…チャネル情報報告送信部
ＰＣＦ…基地局制御装置
３１…通信制御部
３４…チャネル情報報告受信部
３５…チャネル割り当て制御部
【図１】
0004711822.tif 000002
【図２】
0004711822.tif 000003
【図３】
0004711822.tif 000004
【図４】
0004711822.tif 000005
【図５】
0004711822.tif 000006
【図６】
0004711822.tif 000007
【図７】
0004711822.tif 000008
【図８】
0004711822.tif 000009
【図９】
0004711822.tif 000010
【図１０】
0004711822.tif 000011
【図１１】
0004711822.tif 000012